(57)【特許請求の範囲】
【請求項１】
それぞれ一定の繰り返し周期を有する複数の非実時間情報信号の各最初の一周期分だけをそれぞれ異なるタイミングで送出する演奏所と、
上記演奏所から送出されてきた上記複数の非実時間情報信号の各最初の一周期分を受けて、それぞれ蓄積する複数の蓄積手段と、
上記複数の該蓄積手段に蓄積された各非実時間情報信号を上記一定の繰り返し周期で読み出す読み出し手段と、
該読み出し手段で読み出された複数の非実時間情報信号を多重化して同時に送信する送信手段と、
を有する送信所と、
を具備することを特徴とするデジタル放送における非実時間情報信号送信システム。
【請求項２】
それぞれ一定の繰り返し周期を有する複数の非実時間情報信号の各最初の一周期分だけをそれぞれ異なるタイミングで送出する演奏所から送出されてきた上記複数の非実時間情報信号の各最初の一周期分を受けて、それぞれ蓄積する複数の蓄積手段と、
上記複数の該蓄積手段に蓄積された各非実時間情報信号を上記一定の繰り返し周期で読み出す読み出し手段と、
該読み出し手段で読み出された複数の非実時間情報信号を多重化して同時に送信する送信手段と、
を具備することを特徴とするデジタル放送における非実時間情報信号送信装置。
【発明の詳細な説明】
【０００１】
【発明の属する技術分野】
本発明は、送信所より先において直交周波数分割多重方式など見かけ上複数の伝送路を有するデシタル放送において利用される非実時間情報信号の送信システム及び送信装置に関する。
【０００２】
【従来の技術】
現在、テレビジョン放送はアナログ放送であるが、近い将来開始されるであろうデジタル放送に向けて、各種の開発、研究が行われている。
【０００３】
【発明が解決しようとする課題】
例えば、アナログ放送においては、文字放送やデータ放送等で使用する静止画や文章などの非実時間情報信号は、ＮＴＳＣ方式のテレビジョン信号における垂直ブランキング期間という固定の位置に挿入されているため、このような一定の繰り返し周期を有する非実時間情報信号は、演奏所（所謂スタジオ）から送信所に繰り返し伝送され、送信されている。
【０００４】
一方、デジタル放送においては、送信所より先において直交周波数分割多重方式など見かけ上複数の伝送路を有するものであり、複数の非実時間情報信号を同時に送信することが可能となる。しかしこの場合、演奏所と送信所の間の伝送路は、現在のものが使用されると、情報量が多いため負担がかかり、複数の非実時間情報信号を繰り返し同時に送信所に伝送することはできない。
【０００５】
本発明は、上記の点に鑑みてなされたもので、演奏所と送信所間の伝送に負担をかけずに、一定の繰り返し周期を有する非実時間情報信号を複数同時に送信できる非実時間情報信号送信システム及び装置を提供することを目的とする。
【０００６】
【課題を解決するための手段】
上記の目的を達成するために、本発明によるデジタル放送における非実時間情報信号送信システムは、
それぞれ一定の繰り返し周期を有する複数の非実時間情報信号の各最初の一周期分だけをそれぞれ異なるタイミングで送出する演奏所と、
上記演奏所から送出されてきた上記複数の非実時間情報信号の各最初の一周期分を受けて、それぞれ蓄積する複数の蓄積手段と、
上記複数の該蓄積手段に蓄積された各非実時間情報信号を上記一定の繰り返し周期で読み出す読み出し手段と、
該読み出し手段で読み出された複数の非実時間情報信号を多重化して同時に送信する送信手段と、
を有する送信所と、
を備えることを特徴とする。
【０００７】
また、本発明によるデジタル放送における非実時間情報信号送信装置は、それぞれ一定の繰り返し周期を有する複数の非実時間情報信号の各最初の一周期分だけをそれぞれ異なるタイミングで送出する演奏所から送出されてきた上記複数の非実時間情報信号の各最初の一周期分を受けて、それぞれ蓄積する複数の蓄積手段と、
上記複数の該蓄積手段に蓄積された各非実時間情報信号を上記一定の繰り返し周期で読み出す読み出し手段と、
該読み出し手段で読み出された複数の非実時間情報信号を多重化して同時に送信する送信手段と、
を備えることを特徴とする。
【０００８】
即ち、本発明のデジタル放送における非実時間情報信号送信システム及び送信装置によれば、
演奏所からそれぞれ一定の繰り返し周期を有する複数の非実時間情報信号の各最初の一周期分だけをそれぞれ異なるタイミングで送出するようにし、送信所では、複数の蓄積手段に、これら異なるタイミングで送出されてきた上記複数の非実時間情報信号の各最初の一周期分をそれぞれ蓄積しておき、読み出し手段で、これら蓄積された各非実時間情報信号を上記一定の繰り返し周期で読み出して、送信手段により、多重化して同時に送信する。
【０００９】
このように、送信所に非実時間情報信号送信装置を新たに導入し、送信所から繰り返しデータを送出するようにすることで、演奏所と送信所間の伝送に負担をかけずに、一定の繰り返し周期を有する非実時間情報信号を複数同時に送信できるようになる。
【００１０】
【発明の実施の形態】
以下、本発明の一実施の形態を図面を参照して説明する。
図１は本発明の一実施の形態にかかるデジタル放送における非実時間情報信号送信システムの構成を示す図で、該非実時間情報信号送信システムは、演奏所１０と送信所２０とから構成されている。そして、送信所２０は、ヘッダ判別部２１、切り替え部２２、複数の蓄積部２３Ａ，２３Ｂ，２３Ｃ，…，２３ｎ、送出部２４、多重化部２５、及び送信部２６からなる。
【００１１】
ここで、ヘッダ判別部２１は、演奏所から送信されてくる非実時間情報信号のヘッダ部を参照することで当該非実時間情報信号を判別し、その判別結果に応じて切り替え部２２に切り替え信号を出力するものである。切り替え部２２は、この切り替え信号に従って、演奏所１０からの非実時間情報信号を複数の蓄積部２３Ａ，２３Ｂ，２３Ｃ，…，２３ｎの一つに選択的に供給するものであり、複数の蓄積部２３Ａ，２３Ｂ，２３Ｃ，…，２３ｎは、それぞれ、切り替え部２２から供給された非実時間情報信号を蓄積するものである。
【００１２】
また、送出部２４は、上記複数の蓄積部２３Ａ，２３Ｂ，２３Ｃ，…，２３ｎに蓄積された非実時間情報信号を読み出して多重化部２５に送出するものである。多重化部２５は、送出部２４から送出されてきた複数の非実時間情報信号を多重化して送信部２６に供給するものであり、送信部２６は、この多重化部２５で多重化された非実時間信号を所定の変調方式（例えば直交周波数分割多重方式）により変調して送信するものである。
【００１３】
このような構成において、演奏所１０は、送信所２０に対して、図２の（Ａ）に示すように、それぞれ繰り返し周期を有する非実時間情報信号Ａ，Ｂ，Ｃ，…の各一周期分をタイミングをずらして伝送する。即ち、繰り返し送出されるべき非実時間情報信号Ａ，Ｂ，Ｃ，…がそれぞれ１回だけ伝送される。なお、この図２の（Ａ）では、複数の非実時間情報信号Ａ，Ｂ，Ｃ，…の各一周期分が連続して伝送されるものとして示しているが、必ずしも連続している必要はない。また、各非実時間情報信号Ａ，Ｂ，Ｃ，…は、例えば１時間等の所定の時間ごとに内容が更新され、その更新時に１回だけ伝送されるものである。
【００１４】
送信所２０では、ヘッダ判別部２１により、この伝送されてきた非実時間情報信号のヘッダを参照して当該非実時間情報信号を判別し、切り替え部２２によって、その非実時間情報信号を対応する蓄積部に供給する。これにより、蓄積部２３Ａ，２３Ｂ，２３Ｃ，…，２３ｎには、図２の（Ｂ）に示すように、非実時間情報信号Ａ，Ｂ，Ｃ，…が蓄積されていく。
【００１５】
そして、送出部２４は、これら複数の蓄積部２３Ａ，２３Ｂ，２３Ｃ，…，２３ｎに蓄積された複数の非実時間情報信号Ａ，Ｂ，Ｃ，…の各一周期分を同時に読み出し、図２の（Ｃ）に示すように、この読み出した複数の非実時間情報信号Ａ，Ｂ，Ｃ，…を繰り返し送出する。
【００１６】
多重化部２５は、このような送出部２４からの複数の非実時間情報信号Ａ，Ｂ，Ｃ，…を、図２の（Ｄ）に示すように多重化して、送信部２６に供給する。そして、送信部２６は、この多重化部２５で多重化された非実時間信号を所定の変調方式（例えば直交周波数分割多重方式）により変調して送信する。
【００１７】
このように、演奏所１０からそれぞれ一定の繰り返し周期を有する複数の非実時間情報信号Ａ，Ｂ，Ｃ，…の各最初の一周期分だけをそれぞれ異なるタイミングで送出するようにし、送信所２０では、複数の蓄積部２３Ａ，２３Ｂ，２３Ｃ，…，２３ｎに、これら異なるタイミングで送出されてきた上記複数の非実時間情報信号の各最初の一周期分をそれぞれ蓄積しておき、送出部２４で、これら蓄積された各非実時間情報信号を上記一定の繰り返し周期で読み出して、多重化部２５により多重化して送信部２６から同時に送信するようにしたことにより、演奏所１０から送信所２０への繰り返しデータの伝送は１回ですみ、かつ複数のデータを同時に繰り返し送出することが可能となる。
【００１８】
以上、一実施の形態に基づいて本発明を説明したが、本発明は上述した一実施の形態に限定されるものではなく、本発明の要旨の範囲内で種々の変形や応用が可能なことは勿論である。
例えば、上記実施の形態では、複数の蓄積部を設けているが、これは一つのメモリの複数の領域としても良い。
【００１９】
【発明の効果】
以上詳述したように、本発明によれば、演奏所と送信所間の伝送に負担をかけずに、一定の繰り返し周期を有する非実時間情報信号を複数同時に送信できる非実時間情報信号送信システム及び装置を提供することができる。
【図面の簡単な説明】
【図１】本発明の一実施の形態にかかるデジタル放送における非実時間情報信号送信システムの構成を示すブロック図である。
【図２】図１中の送信所における各部の動作を説明するためのタイミングチャートである。
【符号の説明】
１０  演奏所
２０  送信所
２１  ヘッダ判別部
２２  切り替え部
２３Ａ，２３Ｂ，２３Ｃ，…，２３ｎ  蓄積部
２４  送出部
２５  多重化部
２６  送信部
【図１】
0003917298.tif 000002
【図２】
0003917298.tif 000003